(57)【要約】【課題】転がり部品や摺動部品の摩耗に起因する接触抵抗増加を防ぐことにより、記録層の切替速度の低下を防ぎ、高速記録と長期信頼性に優れた多層光記録装置を実現する。【解決手段】エレクトロクロミック材料を用いた多層光記録装置において、電源と媒体との間に、電力を供給するための電磁誘導手段としてのロータリトランス１００を設けた。【選択図】  図１
2007149225.tif 000002
【特許請求の範囲】
【請求項１】
複数の記録層を有する媒体と、
前記複数の記録層に供給する電流を制御して記録層の選択を行なう電流制御回路と、
電源からの電力を前記媒体側に非接触で供給するための電磁誘導手段と
を有することを特徴とする情報記録装置。
【請求項２】
請求項１記載の情報記録装置において、前記媒体を保持する回転体と、前記回転体を回転可能に支持する非回転体とを有し、前記電力を供給するための電磁誘導手段は、前記回転体と前記非回転体のそれぞれに設置した一対のコイルと磁性体を備えることを特徴とする情報記録装置。
【請求項３】
請求項２記載の情報記録装置において、前記回転体と前記非回転体のそれぞれに設置した一対のコイルと磁性体は、前記回転体の回転軸に垂直な面を挟んで対向していることを特徴とする情報記録装置。
【請求項４】
請求項２記載の情報記録装置において、前記回転体と前記非回転体のそれぞれに設置した一対のコイルと磁性体は、前記回転体の回転軸の方向に延在する回転面を挟んで対向していることを特徴とする情報記録装置。
【請求項５】
請求項２記載の情報記録装置において、前記電流制御回路は前記回転体に設けられていることを特徴とする情報記録装置。
【請求項６】
請求項５記載の情報記録装置において、前記非回転体側から前記回転体に設けられた前記電流制御回路に非接触で制御信号を供給するための電磁誘導手段を有することを特徴とする情報記録装置。
【請求項７】
請求項６記載の情報記録装置において、前記制御信号を供給するための電磁誘導手段は、前記回転体と前記非回転体のそれぞれに設置した一対のコイルと磁性体とを有することを特徴とする情報記録装置。
【請求項８】
請求項５記載の情報記録装置において、前記非回転体側から前記回転体に設けられた前記電流制御回路に非接触で制御信号を供給するための手段として、前記非回転体に設けられた発光手段と前記回転体に設けられた受光手段とを有することを特徴とする情報記録装置。
【請求項９】
請求項５記載の情報記録装置において、前記回転体は、前記媒体を固定する固定盤と、前記電磁誘導手段を保持するハブを有し、前記固定盤に前記電流制御回路が設けられ、フレキシブル基板によって前記電流制御回路と前記電磁誘導手段が電気的に接続されていることを特徴とする情報記録装置。
【請求項１０】
請求項９記載の情報記録装置において、前記媒体を前記固定盤に固定する際に前記ハブに設置した前記電磁誘導手段が前記非回転体と接触しないように、前記固定盤と前記ハブとの間に空間が設けられていることを特徴とする情報記録装置。
【請求項１１】
請求項９記載の情報記録装置において、前記媒体を前記固定盤に固定する際に前記ハブに設置した前記電磁誘導手段が前記非回転体と接触しないように、前記固定盤及び前記電流制御回路を柔軟な構造としたことを特徴とする情報記録装置。
【請求項１２】
請求項９記載の情報記録装置において、前記媒体を前記固定盤に固定する際に前記ハブに設置した前記電磁誘導手段が前記非回転体と接触しないように、前記固定盤の前記回転体の回転軸との接続部を柔軟な構造としたことを特徴とする情報記録装置。
【請求項１３】
請求項９記載の情報記録装置において、前記媒体を前記固定盤に固定する際に前記ハブに設置した前記電磁誘導手段が前記非回転体と接触しないように、前記回転体と前記非回転体を前記回転体の回転軸に平行な面で対向させ、前記対向面に前記電磁誘導手段を設けたことを特徴とする情報記録装置。
【発明の詳細な説明】
【技術分野】
【０００１】
本発明は、光を用いて媒体に情報を記録する情報記録装置に関するものである。
【背景技術】
【０００２】
従来は記録密度を高めるために、光源の短波長化により光スポットを小さくする努力が重ねられてきた。しかし光源の短波長化は限界に近づいてきている。そこで今後の技術として、光の直進性と透過性を生かした多層光記録方式が期待されている。
【０００３】
例えば特開2004-310912号公報に開示されているように、エレクトロクロミック材料を用いた層選択型多層光ディスクを用いれば、光記録装置の高記録密度化を実現できる。これは、ポリカーボネート基板上において、記録層を透明電極ではさんだ構造を複数積層した光ディスクである。記録又は読み出しを行ないたい層に所定の電圧を印加すると、記録層が透明状態から着色状態に変化し、記録光、再生光に対する吸収及び反射が増加して、記録や読み出しが可能になる。光が照射された場所は変質して透明状態となり、情報として記録される。電圧を印加した層以外は全て透明なので、電圧を印加した特定の層のみの記録・再生が可能になる。
【０００４】
【特許文献１】特開2004-310912号公報
【発明の開示】
【発明が解決しようとする課題】
【０００５】
上記従来例では、記録装置の静止部分から光ディスクに電圧を供給するために、光ディスクの回転軸の周囲に設置された、ベアリングもしくはスリップリングなどの転がり部品や摺動部品を用いた。これらの方法により、回転する光ディスクの所定の記録層に電圧を供給することができた。
【０００６】
しかし、上記方式では長期間使用している間に転がり部又は摺動部が摩耗する。時間の経過とともに摩耗部分の表面において酸化膜の面積が増加する。すると摩耗部分の電気抵抗が増加し、転がり部又は摺動部の電圧降下が増加するので、その結果記録層に加わる電圧が低下する。印加電圧が低下すると記録層が透明状態から着色状態に変化する速度が遅くなる。このため記録層の切替時間が遅くなり、装置の記録・再生速度が低下してしまう。上記酸化膜の面積が増加すると電気抵抗がさらに増大し、最終的に無限大の抵抗となって記録層へ電流を供給できなくなり、多層記録が不可能となる。
【０００７】
また上記方式では、一つの透明電極層に電圧を印加するために、一つのベアリングもしくはスリップリングが必要となる。すなわち記録層数の増大に対応するためには、ベアリングやスリップリングを多数積み重ねなければならない。これらの部品の厚さによっては記録装置全体の高さが増すので、記録容量の増大と装置の小型化を両立することが困難であった。
【０００８】
本発明の目的は、転がり部品や摺動部品の摩耗に起因する接触抵抗増加と、それに伴なう電圧降下を防ぐことにより、供給電圧不足による記録層の切替速度の低下を防ぎ、高速記録と長期信頼性に優れた多層光記録装置を実現することにある。また、他の目的は、記録層数を増やしても装置全体の高さを増やさず、記録容量の増大と装置の小形化を両立できる多層光記録装置を実現することにある。
【課題を解決するための手段】
【０００９】
上記目的は、エレクトロクロミック材料を用いた多層光記録装置において、電源と媒体との間に、電力を供給するための電磁誘導手段を設けたことにより達成される。上記電磁誘導手段は、媒体を保持する回転体と、回転体を回転可能に支持する非回転体のそれぞれに設置した一対のコイル、及びコイルを取り囲む磁性体により構成すれば良い。これにより、回転する媒体に対して非接触で電力を供給することが可能となり、従来の転がり部又は摺動部の摩耗に起因する問題を解決できる。
【００１０】
また、特定の記録層に電流を供給するための電流制御回路を回転体に設置し、電流制御回路に制御信号を供給するために電磁誘導手段を設けるのが望ましい。上記電磁誘導手段は、媒体を保持する回転体と非回転体のそれぞれに設置した一対のコイル及びコイルを取り囲む磁性体により構成すれば良い。これにより、回転する電流制御回路に非接触で信号を供給することが可能となり、従来の転がり部や摺動部の摩耗に起因する問題を解決できる。また電力を供給するための電磁誘導手段と、制御信号を供給するための電磁誘導手段の２つを設置しておけば、電流制御回路の機能により電流の極性と記録層の切替が可能となる。このようにしておけば、記録層数の増加に関係なく、上記２つの電磁誘導手段により特定の記録層に電流を供給することができる。
【００１１】
従来、記録層数の増大に対応するためには、ベアリングやスリップリングを多数積み重ねなければならなかったが、上記構成により記録層数がどれだけ増加しても装置全体の高さは一定となる。よって、記録容量の増大と装置の小形化を両立できる多層光記録装置を実現できる。
【００１２】
また、電流制御回路に制御信号を供給するために、電流源と媒体との間に信号を供給するための光発光手段と光受光手段を設けても良い。これにより回転する電流制御回路に非接触で信号を供給することが可能となり、従来の転がり部や摺動部の摩耗に起因する課題を同様に解決できる。また、電力を供給するための電磁誘導手段と、制御信号を供給するための光発光・受光手段の２つを設置しておけば、電流制御回路の機能により電流の極性と層切替が可能となる。このようにしておけば、記録層数の増加に関係なく、特定の記録層に電流を供給することができる。このようにして、記録容量の増大と装置の小形化を両立できる多層光記録装置を実現できる。
【００１３】
電流制御回路は媒体を固定する固定盤に設置し、ハブに設置した電磁誘導手段と電流制御回路を、フレキシブル基板を用いて接続するのが好ましい。この構成によると、記録層数が増加した場合に以下の効果が生まれる。媒体と電流制御回路の接続端子数は増加するが、電流制御回路と電磁誘導手段との接続は、上記で述べたように、少なくとも電力を供給する配線と制御信号を供給する配線の２系統でまかなうことができる。よって、媒体と電流制御回路の間の多端子接続は、コンタクトピンと多層プリント基板で構成し、２系統の配線で良い電流制御回路と電磁誘導手段との接続には柔軟なフレキシブル基板を用いることで実現できる。
【００１４】
このような構成とすれば、フレキシブル基板の接続ピン数は記録層数に関わらず一定でありピン数が増加することはないので、長期接続信頼性に優れた低コストの接続構造を実現できる。また、媒体を固定盤に設置する際に固定盤に力が加わっても、フレキシブル基板は柔軟で変形可能な構造なので、電磁誘導手段に加わる力は緩和される。回転体と非回転体の双方に設置した電磁誘導手段同士は、結合効率を高めるために数１０μｍの間隔で相対している。この電磁誘導手段に加わる力が緩和されると、コイル同士や磁性体同士が接触したり、お互いに噛み込みを起こしたりすることがなくなるので、媒体を長期間安定して回転させることができる。
【００１５】
さらに、固定盤とハブとの間に空間を設けたり、固定盤や電流制御回路を柔軟な構造にしたり、固定盤と回転軸の接続部を柔軟な構造とすることで、ハブに設置した電磁誘導手段に加わる力がさらに緩和され、コイル同士や磁性体同士の接触や噛み込みの発生確率が低くなり、媒体をさらに長期間安定して回転させることができる。
【００１６】
また、回転体と非回転体を回転軸に平行な面で対向させ、その対向面に電磁誘導手段を設けても良い。このようにしておけば、媒体を固定盤に設置する際に回転体に力が加わっても、回転体と非回転体は対向面に対してほぼ平行にずれるので両者の間隔の変化が小さくなる。よってコイル同士や磁性体同士の接触や噛み込みの発生確率が低くなり、媒体を長期間安定して回転させることができる。
【発明の効果】
【００１７】
本発明によれば、転がり部品や摺動部品の摩耗に起因する記録層の切替速度の低下を防ぎ、高速記録と長期信頼性に優れた記録装置を実現することができる。また、記録層数を増やしても装置全体の高さを増やさず、記録容量の増大と装置の小型化を両立できる情報記録装置を実現することができる。
【発明を実施するための最良の形態】
【００１８】
以下、本発明に係る情報記録装置について図を用いて説明する。図１は、本発明の第一実施例を示す情報記録装置をディスク回転軸に沿って切断した断面図である。
【００１９】
ディスク１は、エレクトロクロミック材料からなる記録層を２枚の透明電極層ではさんだ構造を複数積層して成る、層選択型多層光ディスクである。ディスク内部の構造と製法に関しては、特開2003-3462378号公報又は特開2004-310912号公報に開示されているので詳細な説明は省略する。
【００２０】
ディスク１の内周領域には、記録層をはさんだ透明電極に電流を供給するための複数の引き出し電極が形成されている。引き出し電極の末端は、固定盤３と向かい合うディスク１内周部の表面に露出している。固定盤３の表面には、上記引き出し電極に対応する位置に上下方向に伸縮可能なバネ性を有する複数の接触ピン４が設置されている。
【００２１】
ディスク１を固定盤３に載せると、ディスク１の最内周部がディスク押さえ５と勘合する。ディスク押さえ５にはバネが内蔵されており、ディスク１全体を固定盤３の方向に押さえ付ける力を発揮する。これによりディスク１と固定盤３が近接し、ディスク１の引き出し電極と接触ピン４が接触する。ディスク１に反りや傾きが生じていても、接触ピン４が上下方向に伸縮するので接触可能となる。
【００２２】
固定盤３とハブ１０は回転軸２に固定されており、回転軸２とともに回転することができる。固定盤３の底面には、ディスク１の記録層へ供給する電流を制御するために電流制御回路基板６を設置した。接触ピン４は電流制御回路基板６の貫通穴に形成された電極と半田などを用いて電気的に接続されている。
【００２３】
電流制御に必要なコンデンサや抵抗などの受動部品８、及びＩＣ７は回路基板６上に搭載されている。ディスク１の回転時に基板も回転するので、回転軸中心から見た各部品のモーメントの合計が最小となるように部品を搭載すれば、回転時の動バランスが最小となり、振動が少なくモータ消費電力の少ない回転系を実現できる。
【００２４】
ハブ１０の下面には、電流制御回路基板６へ電力と制御信号を供給するための電磁誘導手段であるロータリトランス１００が設けられている。ロータリトランス１００は、回転するハブ１０側に取り付けられたロータ側電力供給コイル１０１とロータ側信号供給コイル１０２及びロータ側コア１０３、そして静止しているスリーブ１３側に取り付けられたステータ側電力供給コイル１０４とステータ側信号供給コイル１０５及びステータ側コア１０６、以上の部品で構成されている。
【００２５】
コイル１０１とコイル１０４は、回転軸２を中心とした同心円状の巻線構造であり、お互いに約３０μｍ程度の微小な間隔で対向している。ベース２０側の回路基板１９に設けられている電源回路から約１００ｋＨｚの交流電流が配線１２を経由してコイル１０４に供給されると、コイル１０４の周囲に交流磁束が発生する。コア１０３及び１０６は、交流磁束を通しやすい軟磁性材料、たとえば亜鉛やマンガンなどを含むフェライトの粉末から製造されている。交流磁束はステータ側コア１０６の内部を通り、磁束の一部は対向しているロータ側コア１０３に浸入する。このロータ側コア１０３内部の磁束変化によりコイル１０１に誘起起電力が発生する。
【００２６】
コイル１０１両端の電極はフレキシブル基板９の電極に接続されており、フレキシブル基板９は電流制御回路基板６と接続している。コイル１０１の交流誘起起電力は電流制御回路基板６内部の平滑回路で直流電流に変換され、接触ピン４を経由してディスク１の記録層に供給される。
【００２７】
コイル１０１とコイル１０４、コア１０３とコア１０６は、回転軸２を中心とした同心円状の構造なので、ハブ１０の回転速度が変化しても原理的には磁気回路に変化はない。このためコア内部を通る交流磁束の振幅と周波数は、ハブの回転速度にかかわらず一定となり、回転するディスク１に対して安定した電力を供給することができる。
【００２８】
コイル１０２とコイル１０５も同様に約３０μｍ程度の微小な間隔で対向している。ベース２０側の回路基板１９に設けられている制御回路から交流電流をコイル１０５に供給すれば、前記と同様にコア１０６及びコア１０３の内部に交流磁束が発生し、コイル１０２に誘起起電力が発生する。
【００２９】
コイル１０２両端の電極はフレキシブル基板９を通じて電流制御回路基板６と接続されている。上記の誘起起電力は電流制御回路基板６の内部で増幅及び変換され、記録層の切替や、電流の極性、及び電流値の制御に利用される。
【００３０】
本実施例では電力を供給するコイルと制御信号を供給するコイルが、共通のコアを利用しているので、お互いの混信をさけるためには交流電流の周波数成分が影響を受けないように注意する必要がある。例えばコイル１０４に供給する交流電流の基本周波数を１００ｋＨｚとした場合、コイル１０５に供給する交流電流の基本周波数としては１００ｋＨｚとその高次の周波数を避けたほうが望ましい。あるいは１ＭＨｚ以上に設定しておけば、高次の周波数成分が混信する確率は低くなる。
【００３１】
ハブ１０の最下部にはリング状のロータ磁石１１が固定されている。またスリーブ１３の内周に接するようにモータステータ固定リング１４と、軸受け１５が設けられている。軸受け１５と回転軸２の間には動圧発生流体１６が充填されている。回転軸２の下部には、動圧発生流体１６の漏れを防ぐためのキャップ２１が取り付けられている。本実施例では流体軸受けを採用したが、他の構造例えばボールベアリングを用いた軸受け構造を用いても良い。
【００３２】
モータステータ固定リング１４の外周にはモータステータコア１８とモータ巻線１７が配置されている。モータ巻線１７に所定の駆動電流を供給すれば、モータステータコア１８とロータ磁石１１の間にトルクが発生し、ハブ１０を含む上記回転構造を毎分数千回転の速度で回転させることができる。
【００３３】
モータステータ固定リング１４の下部には回路基板１９とベース２０が設置されている。回路基板１９には、ディスク１へ電力を供給するための電源と制御信号源、及びその他の記録装置として必要な電子回路が実装されている。回路基板１９とコイル１０４及びコイル１０５は配線１２によって接続されており、必要な電力と制御信号をコイルへ供給することができる。
【００３４】
次に、本実施例を用いた記録再生例を説明する。図１１にディスクの断面構造を示した。ここでは、簡単のために２層ディスクを示しているが、３層以上のディスクにおいてもディスク作製方法、記録再生方法は同様である。ディスク１のエレクトロクロミック層としては、無機材料のＷＯ３層５０３、５０６を用い、固体電解質材料にＴａ２Ｏ５層５０４、５０７を用いた。これらの層をＩＴＯ透明電極層５０２、５０５、５０８ではさんだ積層体構造を２回繰り返すことで、２枚の着色可能層と３枚の透明電極層を厚さ０．６mm、直径１２０mmのトラッキング用のランド・グルーブ溝を有するポリカーボネート基板上５０１に形成した。これら記録層と電極層を保護するために、ほぼ同じ厚さのポリカーボネート基板５０９を紫外線硬化型樹脂を用いて貼り合わせた。
【００３５】
図１２は、本発明の情報記録媒体の電極部の一例を示す拡大図である。ディスク内周部には、上記３つの透明電極に電流を供給するための引き出し電極として、３重の同心円リング状の金属電極５１１を貼り付けた。金属電極は、導電性樹脂５１０を介して、各透明電極と接している。このようにして完成したディスク１を固定盤３に搭載し、同心円状金属電極５１１と接触ピン４を接触させた。
【００３６】
記録層への印加電流の仕様は以下の通りである。
１．２つの記録層に独立に、着色のための正電圧、及び消色のための負電圧を印加。
２．最大電圧は正電圧、負電圧ともに５Ｖ
３．最大電流は１００ｍＡ
４．正電圧、負電圧が最大値の９０％に達するまでの立ち上がり時間は１００マイクロ秒以下
５．着色、消色の繰り返し数は１００回以上
【００３７】
以下に、図７を用いて本実施例による情報記録再生の動作を説明する。
【００３８】
最初にモータ２０２を用いて光ディスク２０１を回転駆動させる。モータ回転数の制御方法としては、記録再生を行なうゾーン毎にディスクの回転数を変化させるＺＣＡＶ（Zoned Constant Linear Velocity）方式を採用した。光ディスク２０１は、光スポットとの相対線速度１５ｍ／ｓの速度となるように回転させた。ここでは、線速度１５ｍ／ｓにて記録再生を行ったが、さらに１５ｍ／ｓより早くしたり、遅くした線速度、角速度一定などのディスク回転数制御を行っても、給電に問題はなかった。
【００３９】
記録装置の外部から供給される入力信号は、８ビットを１単位として、変調器２０８に入力した。ここでは、８−１６変調方式を用いた。これは、８ビットの情報を１６ビットに変換する変調方式である。この方式でディスク上に、８ビットの情報に対応させた３Ｔ〜１４Ｔのマーク長の情報記録を行なう。ここでＴとは情報記録時のクロック周期を表わしている。変調器２０８により変換された３Ｔ〜１４Ｔのデジタル信号は記録波形発生回路２０６に転送され、マルチパルス記録波形が生成される。記録波形発生回路２０６では、３Ｔ〜１４Ｔの信号を時系列的に交互に「０」と「１」に対応させるようにしている。
【００４０】
記録波形発生回路２０６により生成された記録波形は、レーザー駆動回路２０７に転送され、レーザー駆動回路２０７はこの記録波形をもとに、光ヘッド２０３内の半導体レーザーを発光させる。光ヘッド２０３には情報記録用のレーザーとして、光波長６６０ｎｍの半導体レーザーが搭載されている。
【００４１】
所定の層に電流を印加して着色させた後、このレーザー光をサーボ回路２０９で制御しながら、レンズＮＡ０．６５の対物レンズにより光ディスク２０１の記録層上に絞り込み、レーザービームを照射することにより情報の記録を行なった。トラッキングはランド・グルーブ方式で行った。記録時のパワーは３０ｍＷと、記録パルス以外の時間は、再生パワーまでパワーを落とした。
【００４２】
記録された情報の再生も、上記光ヘッドを用いて行なった。再生時のパワーは１ｍＷとした。所定の層に電流を印加して着色させ、レーザービームを記録されたマーク上に照射し、マークとマーク以外の部分からの反射光を検出することにより再生信号を得る。この再生信号の振幅をプリアンプ２０４により増大させ、復調器２１０で１６ビット毎に８ビットの情報に変換して出力信号とする。以上の動作により記録されたマークの再生が完了する。
【００４３】
以上の条件でマークエッジ記録を行なった場合、最短マークである３Ｔマークのマーク長は約０．４０μｍ、最長マークである１４Ｔマークのマーク長は約１．９６iｍとなる。記録信号には、情報信号の始端部、終端部に４Ｔマークと４Ｔスペースの繰り返しのダミーデータが含まれている。
【００４４】
ここでは、レーザー波長６６０ｎｍ、ＮＡ０．６５にて記録を行ったが、さらに４０５ｎｍなどの短波長のレーザーを用いてもよい。また、ＮＡ０．８５などＮＡが異なる場合でも同様に記録できる。トラッキング方式も、ランド・グルーブ方式以外の方式、例えばサンプルサーボ方式などでも良い。さらに、８−１６変調方式、だけでなく１−７変調などここに記載されていない変調方式、ダミーデータを含まない信号でも同様な結果が得られた。
【００４５】
さらに、本発明の技術により、接触ピン４の位置をディスクの内周側、直径２３ｍｍから３３ｍｍの範囲の狭い範囲内に接触部を設けることが可能となり、より好ましかった。これは従来のディスクでクランプエリアと呼ばれ、ディスクを固定するのに用いられている。これにより、本発明の給電機構を有する情報記録再生装置は、層選択型光ディスクの記録及び／又は再生を行うことが出来るだけでなく、給電を必要としないＤＶＤなどの既存の光ディスクへの記録及び／又は再生を行うこと、つまり互換性を有することが出来た。
【００４６】
次に図８乃至図１０を用いて記録層の切り替え動作を説明する。図８は本発明の第一の実施例における記録層の切り替えに必要な電気回路のブロック図を示す。交流電源回路４０１と切り替え信号発生回路４０２は、ともに回路基板１９に電子回路として搭載されている。
【００４７】
交流電源回路４０１は電磁誘導に必要な交流電圧を発生させる回路であり、本実施例では振幅１２Ｖ、周波数１００ｋＨｚのスイッチング電源を用いた。交流電源回路４０１で生成した交流電圧は電力供給用ロータリトランス４０３に供給され、ロータリトランス４０３の電磁誘導作用により回転体に伝えられた電力は、電流制御回路基板４０５に供給される。ここで、電力供給用ロータリトランス４０３は、図１の構成例でいうと、ロータ側電力供給コイル１０１、ロータ側コア１０３、ステータ側電力供給コイル１０４、及びステータ側コア１０６からなる。交流電源の周波数は、１００ｋＨｚ以外でも動作するが、光ディスクのサーボ周波数と混信を避けるため、１００ｋＨｚ以下がより好ましい。
【００４８】
一方切り替え信号発生回路４０２は、どの記録層に電力を供給するかを決めるための信号を発生する回路である。本実施例では、上記交流電源との混信を避けるため、振幅５Ｖ、周波数５００〜１０００ｋＨｚの信号を発生した。信号は信号供給用ロータリトランス４０４に伝えられ、ロータリトランス４０４の電磁誘導作用により回転体に伝えられた信号は、電流制御回路基板４０５に供給される。ここで、ロータリトランス４０４は、図１に示した構成例でいうと、ロータ側信号供給コイル１０２、ロータ側コア１０３、ステータ側信号供給コイル１０５及びステータ側コア１０６からなる。切り替え信号の周波数は、５００〜１０００ｋＨｚ以外でも動作するが、光ディスクの信号周波数をさけることがより好ましく、ここでは１ＭＨｚより大きい周波数をさけた。これは、信号へのノイズの漏れこみを防止するためである。
【００４９】
電流制御回路基板４０５には、供給された交流電力を整流し直流に変換する回路が内蔵されている。また変換された直流電流をどの記録層に供給するのかを決める切り替え回路が設けられている。ロータリトランス４０４から供給された信号の振幅や周波数に応じて供給すべき記録層を判断し、回路基板４０５に設けられた第一接触ピン４０６、第二接触ピン４０７、第三接触ピン４０８に電流を供給する。
【００５０】
第一接触ピン４０６、第二接触ピン４０７、第三接触ピン４０８は、層選択型多層光ディスク４０９の表面に設置された第一同心円電極４１０、第二同心円電極４１１、第三同心円電極４１２とそれぞれ接続されている。上記制御回路４０５によって振幅と時間を制御された直流電流は、これらの電極を通じて第一記録層４１３及び第二記録層４１４に供給される。
【００５１】
次に、第一記録層４１３及び第二記録層４１４に供給される電流の切り替えのタイミングを説明する。第一記録層４１３に印加される電圧をＶ12、第二記録層４１４に印加される電圧をＶ23とする。
【００５２】
図９は、第一の切り替え方法を説明するＶ12及びＶ23の時間変化を示すグラフである。最初に時間ｔ11においてＶ12を０Ｖから２．５Ｖに上昇させた。これによって第一記録層４１３に電圧が加わり、第一記録層４１３は透明状態から着色状態への変化が進行した。時間ｔ12においてディスク全面の着色が完了した。次に、時間ｔ13においてＶ12を２．５Ｖから−２Ｖに下降させた。このように着色時の電圧と逆向きに電圧を印加すると、着色状態から透明状態へ変化する時間を短縮する効果がある。時間ｔ14においてディスク全面の消色が完了し、全てが透明状態へ戻った。着色が完了してから消色が完了するまでの時間をＰ1とする。
【００５３】
次に、時間ｔ21においてＶ23を０Ｖから２．５Ｖに上昇させた。これによって第二記録層４１４に電圧が加わり、第二記録層４１４は透明状態から着色状態への変化が進行した。時間ｔ22においてディスク全面の着色が完了した。次に時間ｔ23においてＶ23を２．５Ｖから−２Ｖに下降させた。この逆電圧は、Ｖ12のときと同様に着色状態から透明状態へ変化する時間を短縮する効果がある。時間ｔ24においてディスク全面の消色が完了し、全てが透明状態へ戻った。着色が完了してから消色が完了するまでの時間をＰ2とする。
【００５４】
本実施例では、第一記録層４１３の消色が完了した時間ｔ14と、第二記録層４１４の着色が完了した時間ｔ22との間の時間差をできるだけ少なくするように制御のタイミングを決めた。すなわちｔ14よりも、第二記録層４１４に電圧を印加する時間ｔ21が先となるようにした。
【００５５】
このようにすると、第一記録層４１３が着色状態となっている時間Ｐ1と、第二記録層４１４が着色状態となっている時間Ｐ2の間の時間が短縮できる。本実施例のようにＰ1の終了後、時間差なく即座にＰ2に移行できれば理想的である。このようなタイミングで電流を制御すれば、第一記録層４１３の記録再生状態から、第二記録層４１４記録再生状態へ移行する時間を最も短くできるので、層選択型多層光ディスク装置の高速記録再生を実現できる。
【００５６】
図１０は、第二の切り替え方法を説明するＶ12及びＶ23の時間変化を示すグラフである。本実施例では、第一記録層４１３の消色が完了する時間ｔ14と、第二記録層４１４へ電圧を印加する時間ｔ21との間の時間差をできるだけ少なくするように制御のタイミングを決めた。
【００５７】
このようにするとＰ1とＰ2の間に一定の時間が発生するので、記録層の切り替え時間を短縮という面では不利となる。しかし、Ｖ12が０Ｖの状態となってからＶ23に電圧を供給するので、Ｖ12とＶ23の両方に同時に電圧を印加する回路を設ける必要はなくなる。このようなタイミングで電流を制御すれば、第一記録層と第二記録層に同時に電力を供給することがなくなり、回路構成を削減でき、ディスク全体への供給電力を削減できる。
【００５８】
図２は、本発明の第一の実施例において媒体を固定盤に設置する際に、固定盤に力が加わった場合の情報記録装置の断面図である。ディスク１を取り付けるための力Ｆが下方に加わると、固定盤３や回路基板６は図のように回転軸２に対して下方にわずかに傾く。しかしフレキシブル基板９は柔軟で変形可能な構造であり、また固定盤３とハブ１０の間には、回転軸２を除けば、お互いに接触することない空間が設けられている。以上の構造により、ハブ１０の傾く角度は固定盤３や回路基板６の傾く角度より少なくなる。
【００５９】
この結果、約３０μｍの間隔ｇで相対しているコア１０３と１０６が接触したり、お互いに噛み込みを起こしたりすることがより少なくなる。以上の理由によりディスク１を取り付ける行為を繰り返しても、上記構造によりディスク１を長期間安定して回転させることができる。
【００６０】
図３は、本発明の第二の実施例を示す情報記録装置の断面図である。本実施例では電流制御回路基板６に制御信号を供給するために、発光素子と受光素子を用いて信号伝送を行なう。
【００６１】
ロータリトランス１００は、ロータ側電力供給コイル１０１とロータ側コア１０３、そして静止しているスリーブ１３側に取り付けられたステータ側電力供給コイル１０４とステータ側コア１０６、以上の部品で構成されている。電流制御回路基板６への電力供給は、図１と同様にコイル１０１とコイル１０４との間の電磁誘導により達成される。
【００６２】
スリーブ１３の内周側には発光素子３０２が取り付けられており、回路基板１９に実装された発光素子の駆動回路によって、発光素子３０２の光の照射と停止を制御している。ハブ１０の内周側には受光素子３０１が取り付けられており、発光素子３０２から照射された光を受光して、光の強度に対応した起電力発生する。受光素子３０１の電極はフレキシブル基板９を通じて電流制御回路基板６と接続されている。受光素子３０１の起電力は制御回路内部で増幅及び変換され、記録層の切替や、電流の極性、及び電流値の制御に利用される。
【００６３】
本実施例では、電力の供給に電磁誘導コイルを用い、制御信号の供給に光素子を用いているので、原理的に混信することはなくなる。すなわち記録装置内部の電気ノイズや外部の電気ノイズに対して耐性の高い制御回路を実現できる。
【００６４】
なお本実施例では、受光素子３０１が発光素子３０２の前面に対向した瞬間だけ起電力が発生する。このため、例えば毎分３６００回転（毎秒６０回転）でハブ１０が回転している場合は、１／６０sec＝１６．７ｍsecの周期で受光素子３０１に起電力が発生する。電流の制御として１６．７ｍsecより細かい周期で制御する必要がなければ図３の構成で十分である。
【００６５】
上記の周期より細かい周期で電流を制御する必要がある場合は、以下の構造に変更すれば良い。
(1) 複数個の受光素子３０１をハブ１０の内周部へ設置する。
(2) 発光素子３０２と受光素子３０１を、回転軸２の中心が通る位置に設置する。例えば、
・キャップ２１上の回転軸２の中心が通る位置に発光素子３０２を搭載し、回転軸２の底面に受光素子３０１を搭載する。さらに回転軸２の内部に配線を敷設しておき、この配線により受光素子３０１と電流制御回路基板６とを接続しておく。
・ベース２０と反対側に筐体カバーを設置し、カバー内部に配線を敷設しておく。カバー表面において、回転軸２の中心が通る位置に発光素子３０２を搭載しておく。一方、回転軸２の上面に受光素子３０１を搭載し、回転軸２の内部に配線を敷設しておき、受光素子３０１と電流制御回路基板６とを接続する。
【００６６】
このようにしておけば、発光素子と受光素子が対向する時間が増加するので、より細かい時間周期で電流制御することが可能となる。
【００６７】
図４は、本発明の第三の実施例を示す情報記録装置の断面図である。本実施例では、外力Ｆに対して固定盤３や電流制御回路６を柔軟な構造にすることで、ハブ１０の傾く角度を固定盤３や回路基板６の傾く角度より少なくすることができる。固定盤３としては、例えばディスク１の厚さより薄い有機樹脂からなる円盤を用いれば良い。また回路基板６としてはポリイミド樹脂からなるフレキシブル回路基板を用いれば良い。
【００６８】
この結果、約３０μｍの間隔ｇで相対しているコア１０３と１０６が接触したり、お互いに噛み込みを起こしたりすることがより少なくなる。よってディスク１を取り付ける行為を繰り返しても、上記構造によりディスク１を長期間安定して回転させることができる。
【００６９】
図５は、本発明の第四の実施例を示す情報記録装置の断面図である。本実施例では、固定盤３を固定盤外周部３ａと固定盤内周部３ｂの２つの部品で構成した。固定盤外周部３ａと固定盤内周部３ｂをあらかじめ接着しておき、回転軸２に対して固定盤内周部３ｂを圧入した。
【００７０】
固定盤内周部３ｂの一部の厚さを薄くすることで、外力Ｆに対して柔軟な構造にできるので、ハブ１０の傾く角度を固定盤３や回路基板６の傾く角度より少なくすることができる。
【００７１】
この結果、約３０μｍの間隔ｇで相対しているコア１０３と１０６が接触したり、お互いに噛み込みを起こしたりすることがより少なくなる。よってディスク１を取り付ける行為を繰り返しても、上記構造によりディスク１を長期間安定して回転させることができる。
【００７２】
図６は、本発明の第五の実施例を示す情報記録装置の断面図である。本実施例では、回転側のハブ１０と静止側のスリーブ１３を回転軸２に平行な面で対向させ、その対向面にコア１０３とコア１０６を設置した。このようにしておけば、力Ｆにより固定盤３や回路基板６が傾いても、コア１０３とコア１０６はその対向面に対してほぼ平行にずれるので、両者の間隔ｇの変化が小さくなる。この結果、コア１０３と１０６が接触したり、お互いに噛み込みを起こしたりすることがより少なくなる。よってディスク１を取り付ける行為を繰り返しても、上記構造によりディスク１を長期間安定して回転させることができる。
【００７３】
また、以上に述べた実施例は層選択型多層光ディスクに限定されるものではなく、媒体に電力を供給する必要がある記憶装置一般に適用可能である。例えば磁気ディスク駆動装置、光磁気ディスク駆動装置、電界アシストによる磁気ディスク駆動装置又は光ディスク駆動装置などへの適用が可能である。
【図面の簡単な説明】
【００７４】
【図１】本発明の第一実施例を示す情報記録装置の断面図である。
【図２】本発明の第一の実施例において固定盤に力が加わった場合の情報記録装置の断面図である。
【図３】本発明の第二の実施例を示す情報記録装置の断面図である
【図４】本発明の第三の実施例を示す情報記録装置の断面図である。
【図５】本発明の第四の実施例を示す情報記録装置の断面図である。
【図６】本発明の第五の実施例を示す情報記録装置の断面図である。
【図７】本実施例による情報記録再生の動作を説明する図である。
【図８】本発明おける記録層の切り替えに必要な電気回路のブロック図を示す。
【図９】第一の切り替え方法を説明するＶ12及びＶ23の時間変化を示すグラフである。
【図１０】第二の切り替え方法を説明するＶ12及びＶ23の時間変化を示すグラフである。
【図１１】本発明の情報記録媒体の断面図である。
【図１２】本発明の情報記録媒体の電極部の拡大図である。
【符号の説明】
【００７５】
１…ディスク、２…回転軸、３…固定盤、３ａ…固定盤外周部、３ｂ…固定盤内周部、４…接触ピン、５…ディスク押さえ、６…電流制御回路基板、７…ＩＣ、８…受動部品、９…フレキシブル基板、１０…ハブ、１１…ロータ磁石、１２…配線、１３…スリーブ、１４…モータステータ固定リング、１５…軸受け、１６…動圧発生流体、１７…モータ巻線、１８…モータステータコア、１９…回路基板、２０…ベース、２１…キャップ、１００…ロータリトランス、１０１…ロータ側電力供給コイル、１０２…ロータ側信号供給コイル、１０３…ロータ側コア、１０４…ステータ側電力供給コイル、１０５…ステータ側信号供給コイル、１０６…ステータ側コア、２０１…光ディスク、２０２…モータ、２０３…光ヘッド、２０４…プリアンプ、２０６…記録波形発生回路、２０８…変調器、２０９…サーボ回路、２１０…復調器、３０１…受光素子、３０２…発光素子、４０１…交流電源回路、４０２…切り替え信号発生回路、４０３…電力供給用ロータリトランス、４０４…信号供給用ロータリトランス、４０５…電流制御回路基板、４０６…第一接触ピン１、４０７…第二接触ピン、４０８…第三接触ピン３、４０９…層選択型多層光ディスク、４１０…第一同心円電極、４１１…第二同心円電極、４１２…第三同心円電極、４１３…第一記録層、４１４…第二記録層
【図１】
2007149225.tif 000003
【図２】
2007149225.tif 000004
【図３】
2007149225.tif 000005
【図４】
2007149225.tif 000006
【図５】
2007149225.tif 000007
【図６】
2007149225.tif 000008
【図７】
2007149225.tif 000009
【図８】
2007149225.tif 000010
【図９】
2007149225.tif 000011
【図１０】
2007149225.tif 000012
【図１１】
2007149225.tif 000013
【図１２】
2007149225.tif 000014